(57)【要約】【課題】  内部の異物を掃出し具で掃き出す際に、器具の取付部が破損する恐れのない配線ボックスを提供する。【解決手段】  コンクリート壁Ｗ内に埋設される配線ボックス１において、取付部１３の底壁１２１側に側壁１２２ａ又はｃの内面からの仰角が約５５°の傾斜面からなる案内面１４２を備えた案内部１４を形成することで、内部から開口１１へとワイヤーブラシＳで異物を掃き出す際に、ワイヤーブラシＳを取付部１３の底壁１２１側から開口１１に向けて操作すると、ワイヤーブラシＳは、案内面１４２に乗り上げて開口１１に向けて斜めにボックスの内方向に進み、取付部１３よりもボックス内方（上面１３４上）へ案内されて取付部１３を回避する。【選択図】  図６
2016052237.tif 000002
【特許請求の範囲】
【請求項１】
コンクリート壁内又は吹き付けの断熱材内に埋設され、底壁と、当該底壁の周縁から立設された側壁と、当該側壁に囲まれた開口と、当該開口側の前記側壁からボックス内方に突出形成された少なくとも一対の器具の取付部と、を備えた配線ボックスであって、
前記取付部の前記底壁側に、内部の異物を前記開口から掃き出す掃出し具が前記取付部を回避すべく、当該掃出し具を前記取付部の前記底壁側から前記ボックス内方へあるいは側方へと案内する案内部が形成されている配線ボックス。
【請求項２】
前記案内部は、前記掃出し具を、前記取付部の前記底壁側から前方に向けて斜めに移動させつつ前記取付部の前記底壁側から前記ボックス内方へあるいは側方へと案内するように形成されている請求項１に記載の配線ボックス。
【請求項３】
前記案内部は、前記取付部と、当該取付部が形成された前記側壁と、を連結して形成されている請求項１又は２のいずれか一項に記載の配線ボックス。
【請求項４】
前記案内部は、前記取付部を貫通して前記底壁側に突出するビスを避けるように形成されている請求項１〜３のいずれか一項に記載の配線ボックス。
【発明の詳細な説明】
【技術分野】
【０００１】
本発明は、コンクリート壁内や吹き付け断熱材内に埋設される配線ボックスに関するものである。
【背景技術】
【０００２】
コンクリート壁内や吹き付けの断熱材内等に埋設されて、建物の壁面にスイッチやコンセント等の器具を設置する配線ボックスとして、特許文献１のような配線ボックスが提案されている。
【０００３】
特許文献１に記載された配線ボックスは、周壁によって箱状に囲まれて前面に開口を有し、器具をビスで取り付ける取付部が周壁から内方に突出するように形成されている。この配線ボックスをコンクリート壁内に埋設する場合は、開口を型枠に押し付けるように固定してコンクリート打設し、コンクリートが固まって型枠を除去した後の壁面に開口及び取付部が露出するので、開口から器具の後端をボックス内部に収容するとともに取付部にビスで取り付けることで、器具をコンクリート壁に設置することができる。
【０００４】
また、断熱材を吹き付ける断熱壁に利用する場合は、断熱材を吹き付ける面に配線ボックスを配設し、断熱材が開口から入らないようにテープやシートで覆ってから吹き付けて断熱材に埋設し、その後開口を覆っていたテープやシートを除去し、前面に石膏ボード等からなる壁材を立設するとともに、壁表から壁材に透孔を形成して配線ボックスの開口及び取付部を壁表に露出させ、透孔から配線ボックスの開口を介して器具の後端をボックス内部に収容するとともに取付部にビスで取り付けることで、器具を断熱壁に設置することができる。
【先行技術文献】
【特許文献】
【０００５】
【特許文献１】特開２０１１−２４３７５号公報
【発明の概要】
【発明が解決しようとする課題】
【０００６】
ところが、この特許文献１の配線ボックスは、内部に入り込んだ異物（主に電線管を接続した隙間等から入り込んだコンクリートや断熱材）を器具の取り付け前にワイヤーブラシ等の掃出し具を用いて開口から掃き出して除去する際に、取付部に掃出し具が引っ掛かって取付部が破損してしまうという問題がある。
【０００７】
本発明は、このような従来の問題点を解決するためになされたものであり、その目的は、配線ボックスの内部の異物を掃出し具で掃き出す際に、取付部が破損する恐れのない配線ボックスを提供することにある。
【課題を解決するための手段】
【０００８】
上記問題を解決するために、請求項１記載の発明に係る配線ボックスは、コンクリート壁内又は吹き付けの断熱材内に埋設され、底壁と、当該底壁の周縁から立設された側壁と、当該側壁に囲まれた開口と、当該開口側の前記側壁からボックス内方に突出形成された少なくとも一対の器具の取付部と、を備えた配線ボックスであって、前記取付部の前記底壁側に、内部の異物を前記開口から掃き出す掃出し具が前記取付部を回避すべく、当該掃出し具を前記取付部の前記底壁側から前記ボックス内方へあるいは側方へと案内する案内部が形成されている。
【０００９】
請求項２に記載の発明に係る配線ボックスは、請求項１に記載の配線ボックスにおいて、前記案内部は、前記掃出し具を、前記取付部の前記底壁側から前方に向けて斜めに移動させつつ前記取付部の前記底壁側から前記ボックス内方へあるいは側方へと案内するように形成されている。
【００１０】
請求項３に記載の発明に係る配線ボックスは、請求項１又は２のいずれか一項に記載の配線ボックスにおいて、前記案内部は、前記取付部と、当該取付部が形成された前記側壁と、を連結して形成されている。
【００１１】
請求項４に記載の発明に係る配線ボックスは、請求項１〜３のいずれか一項に記載の配線ボックスにおいて、前記案内部は、前記取付部を貫通して前記底壁側に突出するビスを避けるように形成されている。
【発明の効果】
【００１２】
本発明によれば、内部の異物を掃出し具で開口から掃き出す際に、取付部の底壁側から前方に向けて操作された掃出し具が、取付部の底壁側からボックス内方あるいは側方に案内されこの取付部を回避して開口から出て行くので、取付部の破損が防止される。
【図面の簡単な説明】
【００１３】
【図１】第１の実施形態の配線ボックスの鉄筋への固定状態を示す斜視図。
【図２】第１の実施形態の配線ボックスの斜視図。
【図３】第１の実施形態の配線ボックスの（Ａ）平面図、（Ｂ）正面図。
【図４】第１の実施形態の配線ボックスを図３（Ａ）に示す１Ａ−１Ｂ−１Ｃ線で切断し取付部の底壁側から見た斜視図。
【図５】第１の実施形態の配線ボックスにコンセント（器具）を取り付ける状態の斜視図。
【図６】第１の実施形態の配線ボックスにおいて、コンクリート壁に埋設された状態で図３（Ｂ）に示す２Ａ−２Ｂ線の位置で切断した断面図。
【図７】図４の配線ボックスを第２の実施形態の配線ボックスに置き換えた斜視図。
【図８】第１の実施形態の変更例を示す斜視図。
【発明を実施するための形態】
【００１４】
（第１実施形態）
以下、本発明を具体化した第１の実施形態を図１〜図６にしたがって説明する。
図１に示すように、配線ボックス１は、合成樹脂材料により開口１１を備える有底四角箱状に形成されて、この配線ボックス１を左右に貫通した手により３次元方向に折り曲げ可能なバー材Ｂ１を番線Ｂ２によって鉄筋Ｔにくくり付け、後述するコンクリート壁Ｗを形成するコンクリートに埋設される。その際、配線ボックス１は、開口１１がコンクリート型枠（図示せず）に押し付けられるようにバー材Ｂ１の曲げ角度を手で調節して固定される。なお、底壁１２１とともに配線ボックス１の周壁１２を構成する側壁１２２ａ〜１２２ｄには、それぞれ１つ又は２つのノックアウト１２３が形成され、これらのノックアウト１２３を打ち抜いてできる接続口１２５に、後述する器具Ａに接続されるケーブルＶが挿通される電線管ＤがコネクタＣを介して接続される。なお、開口１１は、打設時にコンクリートが入り込まないように透明薄膜状の養生テープＹで閉塞されている。
【００１５】
続いて、配線ボックス１をより詳細に説明する。
配線ボックス１は、周壁１２によって略直方体形状の有底箱状に形成され、具体的には、周壁１２として、底壁１２１と、この底壁１２１の周縁から立設された側壁１２２ａ〜１２２ｄと、を備え、各側壁１２２の前端部に囲まれて、後述する器具Ａの後端が収容される開口１１が形成される。図示は省略したが、側壁１２２ｃは側壁１２２ａと、側壁１２２ｄは側壁１２２ｂと、それぞれ同一に形成されている。なお、図面を理解しやすくするため、図２〜４では養生テープＹを省略している。
【００１６】
上下に配置される側壁１２２ａ及び１２２ｃには、開口１１側の内面からそれぞれボックスの内方に突出する一対の取付部１３が形成されている。各取付部１３は、後述する器具Ａを固定するためのビスＡ１が挿入される取付孔１３１が前面から裏面１３３に延びるように形成され、その中にはビスＡ１と螺合するナット体１３２が配置される。
【００１７】
各取付部１３の底壁１２１側には、後述する掃出し具としてのワイヤーブラシＳを取付部１３よりもボックス内方（開口１１の中央への方向であって、各取付部１３において上面１３４側）へと案内するための案内部１４がそれぞれ形成されている。より具体的に説明すると、各案内部１４は、各取付部１３から底壁１２１側に延びる突条の案内部本体１４１と、その外面に形成された案内面１４２と、からなる。さらに、各案内部１４は、各取付部１３において、各取付孔１３１の裏側を避けて裏面１３３の左右両端から１条ずつ形成され、この裏面１３３と側壁１２２ａ又は１２２ｃの内面とを連結している。そして、各案内部本体１４１において、連結された側壁１２２ａ又は１２２ｃの内面からの仰角が約５５°をなす傾斜面が案内面１４２となり、これらの案内面１４２は、ワイヤーブラシＳを取付部１３の底壁１２１側から前方に向けて斜め（開口１１の開口面に対して上下に角度を付けて進入する方向）に移動させるために、側壁１２２ａ又は１２２ｃから取付部１３の上部（上面１３４）に向けて所定の仰角で傾斜している。
【００１８】
各側壁１２２ａ〜１２２ｄには、接続口１２５がノックアウト１２３でそれぞれ閉塞されて形成されている。各ノックアウト１２３は、外面にドライバーを宛がい、このドライバーを手持ちハンマーで打ち込む等して打ち抜くことができる。ノックアウト１２３が除去されることで、接続口１２５はノックアウト１２３の形状に合致した円形に開口される。
【００１９】
各接続口１２５には、電線管Ｄと配線ボックス１とを接続するための接続具であるコネクタＣの先端が挿し込まれて接続される。コネクタＣは一端に電線管Ｄが抜け止め状態に挿し込まれる挿込口Ｃ１を備え、他端にコネクタ用のナット体（図示せず）と螺合するねじ山Ｃ２が形成されている。特に、側壁１２２ａ及び１２２ｃに形成された計４つのノックアウト１２３は、それぞれその周囲に内面にねじ山１２４ａが形成された接続筒部１２４が形成されており、このねじ山１２４ａに、コネクタＣの先端に形成されたねじ山Ｃ２が螺合されることで、コネクタＣが接続筒部１２４に接続される。その際、この接続筒部１２４が周囲に形成された４つのノックアウト１２３は、コネクタＣの接続筒部１２４への螺合に伴って螺進する先端で配線ボックス１の内部に押し出されるようにして打ち抜かれ、接続口１２５が開口される。なお、側壁１２２ｂ及び１２２ｄに形成された各ノックアウト１２３を打ち抜いてできる接続口１２５にコネクタＣを接続する場合は、開口した接続口１２５にコネクタＣの先端を挿し込み、反対側からコネクタ用のナット体をコネクタＣのねじ山Ｃ２と螺合させて接続することができる。
【００２０】
配線ボックス１の四隅には、側壁１２２ｂ又は１２２ｄから左右方向外方に膨出ように膨出部１５が形成されている。各膨出部１５は、側壁１２２ａ又は１２２ｃの接続筒部１２４に接続されたコネクタＣの先端からケーブルＶを引き出すための空間（膨出空間１５ａ）を配線ボックス１の内部に形成するために膨出している。すなわち、膨出空間１５ａは、側壁１２２ｂと側壁１２２ｄとの間隔が、側壁１２２ａ又は１２２ｃにおいて接続筒部１２４が左右方向に２つ並んだ幅よりも幅狭のため、各接続筒部１２４に接続されたコネクタＣから引き出されるケーブルＶが、配線ボックス１の内部で側壁１２２ｂ又は１２２ｄと干渉せず引き出せるように形成されている。なお、各膨出空間１５ａにおいて、コネクタＣの先端と対向する内面は、コネクタＣから引き出したケーブルＶの先端を配線ボックス１の内部に向かわせるテーパー面１５ｂとして形成されている。
【００２１】
底壁１２１には、バー材挿通部１７を構成する左右方向に延びるバー材Ｂ１の挿通路１７１が、上下に１条ずつ２条形成されている。バー材Ｂ１は、配線ボックス１を鉄筋Ｔに固定する際に利用する、手により３次元方向に折り曲げ可能な棒鋼である。各挿通路１７１の両端は同じくバー材挿通部１７を構成する挿通口１７２として側壁１２２ｂ及び１２２ｄの外面に開口されており、各バー材挿通部１７は、バー材Ｂ１を、いずれかの挿通口１７２から挿通路１７１に挿通するとともに、もう一方の挿通口１７２から突出させることで、バー材Ｂ１を配線ボックス１に対して左右に貫通するように配置することができる。
【００２２】
側壁１２２ｂ及び１２２ｄには、バー材Ｂ１に替えてビスや釘を用いて配線ボックス１を柱等の被固定対象に固定したい場合に利用する固定部１６が形成されている。各固定部１６は、ドライバーの先端で打ち抜き可能な長円形状のノックアウト（小ノックアウト１６１）によって、後述する長円形状の固定孔１６３を開口可能に形成されている。また、膨出部１５が側壁１２２ｂ又は１２２ｄの外面から膨出している高さ分、変形防止部１６２を側壁１２２ｂ又は１２２ｄの外面から突出形成し、この変形防止部１６２を膨出部１５の外面とともに被固定対象に当接させることで、固定時のビスや釘の打ち込みによる側壁１２２ｂ又は１２２ｄの撓み変形を防止することができる。
【００２３】
次に、この配線ボックス１を用いてコンクリート壁Ｗに器具であるコンセントＡを設置する方法を説明する。
まず、各挿通路１７１に挿通口１７２よりそれぞれバー材Ｂ１を挿通し、各バー材Ｂ１を、その両端が配線ボックス１の側壁１２２ｂ及び１２２ｄの両外側から同量突出するよう配線ボックス１に対して位置調整する。そして、各バー材Ｂ１を各挿通口１７２の直近部分で手で折り曲げて、配線ボックス１の各バー材Ｂ１軸方向への移動を防止し各バー材Ｂ１と配線ボックス１を一体化する。さらに、曲げ変形により生じる弾発力で配線ボックス１の開口１１の全周縁がコンクリート型枠（図示せず）に押し付けられるように手で曲げ角度を調節しつつ各バー材Ｂ１を番線Ｂ２によって鉄筋Ｔにくくりつけることで、配線ボックス１を鉄筋Ｔに固定する。続いて、接続筒部１２４に螺着しておいたコネクタＣの挿込口Ｃ１に電線管Ｄを挿し込んで、コネクタＣを介して配線ボックス１と電線管Ｄとを接続する。コネクタＣは、配線ボックス１に接続する電線管Ｄの数に応じて用意されるものであり、本実施形態では２本の電線管Ｄを配線ボックス１に接続するべく側壁１２２ａの２つの接続口１２５に１つずつ用意した。この様にして、図１に示す配線ボックス１の鉄筋への固定状態が完成する。
【００２４】
その後は、コンクリート型枠内にコンクリートを流し込んで、コンクリート壁Ｗを完成させる。すると、型枠を除去した後のコンクリート壁Ｗの壁面には、開口１１とその内部が露出された配線ボックス１が現れる（図５に示す配線ボックス１とコンクリート壁Ｗを参照）。ところが、この段階の配線ボックス１の内部には、打設した際にコネクタＣとの僅かな隙間等から入り込んでしまったコンクリートが乾燥し異物（図示せず）として存在しているため、コンセントＡを取り付ける前に、この異物を取り除く必要がある。そこで、次に、開口１１についた養生テープＹを除去し、図６に示すワイヤーブラシＳで、周壁１２の内面にこびり付いた異物を剥がし取り、開口１１から掃き出す。
【００２５】
ここで、ワイヤーブラシＳは、無数の金属の毛からなるブラシ部Ｓ１を備え、その毛先Ｓ２で周壁１２の内面にこびり付いた異物に係合し、持ち手Ｓ３を操作してブラシ部Ｓ１で異物を剥がし取るこのとできる掃出し具である。
【００２６】
そして、ワイヤーブラシＳによって配線ボックス１内の異物を取り除いた後は、図５に示すように、開口１１から電線管Ｄ内に挿通されたケーブルＶを引き出してコンセントＡに接続し、このケーブルＶが接続されたコンセントＡを、ビスＡ１の軸部を挿通孔Ａ２を貫通させて取付孔１３１内に配置されたナット体１３２に螺合して配線ボックス１に固定する。最後に、図示しないカバーをコンセントＡに取り付けて、このカバーで配線ボックス１の開口１１を塞ぐ。このようにして、コンセントＡはコンクリート壁Ｗに設置される。
【００２７】
続いて、第１実施形態の配線ボックス１の作用効果について説明する。
（１）配線ボックス１は、取付部１３の底壁１２１側に、ワイヤーブラシＳを取付部１３の底壁１２１側からボックス内方へと案内する案内部１４が形成されているため、内部の異物をワイヤーブラシＳで開口１１から掃き出す際に、取付部１３の底壁１２１側から前方に向けて操作されたワイヤーブラシＳが、取付部１３の底壁１２１側からボックス内方（具体的には上面１３４上）に案内されてこの取付部１３を回避して開口１１から出て行く。これによって、ブラシ部Ｓ１が、取付部１３の裏面１３３やその周縁から上面１３４や側面１３５にかかった辺りに強く引っ掛かることがなくなって、取付部１３が欠けたり折れたりする破損が防止される。
【００２８】
（２）案内部１４は、案内面１４２として側壁１２２ａ又は１２２ｃから取付部１３の上部（上面１３４）に向けて所定の仰角で傾斜している傾斜面を備えているため、ワイヤーブラシＳを、取付部１３の底壁１２１側から前方に向けて斜めに移動させつつ、取付部１３の底壁１２１側からボックス内方へと案内することができる。すなわち、図６に示すように、ワイヤーブラシＳを取付部１３の底壁１２１側から前方に向けて操作すると、ブラシ部Ｓ１は、自ずと案内面１４２に乗り上げて、前方に向けて斜めにボックスの内方向に進み、取付部１３のボックス内方へと案内されこの取付部１３を回避する。これによって、取付部１３を回避するワイヤーブラシＳの動きが掃出し方向に逆らう動きにならず、取付部１３を回避しながらも滑らかに掃き出せる。
【００２９】
（３）案内部１４は、取付部１３と、この取付部１３が形成された側壁１２２ａ又は１２２ｃと、を連結して形成されているため、案内部１４は、取付部１３を前方に折り倒そうとする力に対抗する補強となる。これによって、掃き出す際のワイヤーブラシＳの引っ掛かりによって取付部１３が折り取れることをより確実に防止できる。
【００３０】
（４）案内部１４は、取付孔１３１の裏側を避けて形成されているため、コンセントＡを配線ボックス１に取り付けた際に、取付部１３を貫通して底壁１２１側に突出したビスＡ１を避けることができる。これによって、ビスＡ１が、その長さによっては先端が取付部１３の底壁１２１側に形成された案内部１４に接触して最後まで締め付けれないことを考慮する必要がなくなり、ビスＡ１の長さを慎重に選ばねばならない煩わしさがない。
【００３１】
（５）案内部１４は、各取付部１３につき裏面１３３の左右方向両端の底壁１２１側に突条として１条ずつ２条のみ形成されているため、ワイヤーブラシＳが取付部１３を確実に回避でき、取付部１３を貫通して底壁１２１側に突出したビスＡ１を避けることもでき、それでいて案内部１４に使用する樹脂の量が少ない。これによって、低コストで優れた案内部１４が形成された配線ボックス１を提供できる。
【００３２】
（第２実施形態）
次に、本発明を具体化した第２の実施形態を図７にしたがって説明する。なお、以下の説明では、第１の実施形態と同一の構成については同一の符号を付すことで、その重複する説明を省略する。
【００３３】
図７に示すように、本実施形態に係る配線ボックス２は、第１の実施形態に係る配線ボックス１とは回避部２４の構成についてのみ差異を有し、それ以外の構成及びこの配線ボックス２を用いてコンクリート壁Ｗに器具であるコンセントＡを設置する方法については、第１の実施形態に係る配線ボックス１と同一である。具体的には、第１の実施形態に係る配線ボックス１の案内部１４は、その案内面１４２が、ワイヤーブラシＳを取付部１３の底壁１２１側から前方に向けて斜めに移動させつつこの取付部１３の底壁１２１側からボックス内方へと案内するように形成されていたのに対し、本実施形態に係る配線ボックス２に形成された案内部２４は、その案内部２４２が、ワイヤーブラシＳを取付部１３の底壁１２１側から前方に向けて斜めに移動させつつこの取付部１３の左あるいは右の側方（側面１３５の外側）に案内するように形成されている構成が異なる。
【００３４】
案内部２４について、より詳細に説明すると、各案内部２４は、各取付部１３から底壁１２１側に延びる平面視二等辺三角形の略三角柱状の案内部本体２４１と、その外面に形成された案内面２４２と、からなる。各案内部２４は、各取付孔１３１の裏面１３３と側壁１２２ａ又は１２２ｃの内面とを連結している。そして、各案内部本体２４１において、側壁１２２ａ又は１２２ｃの内面から垂直に立設され、取付部１３の底壁１２１側で互いに約１０５°の角度で交差する２つの傾斜面がそれぞれ案内面２４２となり、各案内面２４２は、ワイヤーブラシＳを取付部１３の底壁１２１側から前方に向けて斜め（開口１１の開口面に対して左右に角度を付けて進入する方向）に移動させるために、取付部１３の左右方向中央の底壁１２１側から取付部１３の側部（側面１３５）に向けて所定の角度で傾斜している。
【００３５】
さらに、各案内部２４は、上面において各取付部１３の取付孔１３１の裏側を避けるように断面略半円状にへこませた凹部が形成されている。各案内部２４は、この凹部によって、第１の実施形態に係る配線ボックス１の案内部１４と同じように、取付部１３を貫通して底壁１２１側に突出するビスＡ１を避けるように形成されている。
【００３６】
第２実施形態の配線ボックス２は、第１実施形態の（３）、（４）の作用効果に加え、以下の作用効果を奏する。
（６）配線ボックス２は、取付部１３の底壁１２１側に、ワイヤーブラシＳを取付部１３の底壁１２１側から左もしくは右の側方へと案内するための案内部２４が形成されているため、内部の異物をワイヤーブラシＳで開口１１から掃き出す際に、取付部１３の底壁１２１側から前方に向けて操作されたワイヤーブラシＳが、取付部１３の左もしくは右の側方に案内されてこの取付部１３を回避して開口１１から出て行く。これによって、ブラシ部Ｓ１が、取付部１３の裏面１３３やその周縁から上面１３４や側面１３５にかかった辺りに強く引っ掛かることがなくなって、取付部１３が欠けたり折れたりする破損が防止される。
【００３７】
（７）案内部２４は、案内面２４２として、取付部１３の左右方向中央の底壁１２１側から取付部１３の側部（側面１３５）に向けて所定の角度で傾斜した傾斜面を備えているため、ワイヤーブラシＳを、取付部１３の底壁１２１側から前方に向けて斜めに移動させつつ、この取付部１３の左もしくは右の側方へと案内することができる。これによって、取付部１３を回避するワイヤーブラシＳの動きが掃出し方向に逆らう動きにならず、取付部１３を回避しながらも滑らかに掃き出せる。
【００３８】
各実施形態は、次のように変更しても良い。
・各実施形態において、案内面１４２及び２４２は、直線状に延びるように形成されているが、弧状や曲面状、あるいは波状に形成されても良い。
【００３９】
・各実施形態において、案内部１４２及び２４２は、ワイヤーブラシＳを取付部１３の底壁１２１側から取付部１３の左斜めボックス内方や右斜めボックス内方に案内するように形成されてもよい。すなわち、本発明において取付部１３のボックス内方あるいは側方とは、左斜めボックス内方や右斜めボックス内方を含む概念である。
【００４０】
・各実施形態において、案内部１４２及び２４２は、ワイヤーブラシＳを取付部１３の底壁１２１側から前方に向けて斜めに移動させるものでなく、ワイヤーブラシＳを開口面に対して垂直・水平に移動させて取付部１３の底壁１２１側からもボックス内方あるいは側方に案内可能に形成してもよい。このような案内部としては、例えば第１の実施形態の案内部１４（側面視略三角形状）を側面視長方形状に変更することが考えられる。
【００４１】
・各実施形態において、案内部１４及び２４は、一対の取付部１３のいずれか一方の底壁１２１側にのみ形成されてもよい。
【００４２】
・各実施形態において、案内部１４及び２４は、取付部１３から左右方向にはみ出すように形成してもよい。
【００４３】
・第２の実施形態において、案内面２４２は、各案内部２４に２面ずつ形成されて、各取付部１３の左右いずれの側方にも案内できるようになっているが、１面のみ形成されて取付部１３の左右いずれか一方にのみ案内するようにしてもよい。
【００４４】
・各実施形態において、案内部１４及び２４は、取付部１３と、この取付部１３が形成された側壁１２２ａ又は１２２ｃと、を連結するものでなくても良い。すなわち、案内部１４及び２４は、取付部１３と、側壁１２２ａ又は１２２ｃと、のいずれか一方とのみ連結して、他方とは連結しないように形成されても良い。
【００４５】
・各実施形態において、掃出し具はワイヤーブラシＳでなくてもよい。ワイヤーブラシＳに代わる掃出し具としては、コンクリートによる異物は配線ボックス１及び２の周壁１２の内面にこびり付いているためそれを剥がし取れることのできる掃出し具が好ましく、例えば、先端に異物に引っ掛かる爪を備えた棒状の掃出し具であったりしても良い。
【００４６】
・各実施形態の配線ボックス１及び２は金属材料で形成しても良い。
【００４７】
・各実施形態の器具は、コンセントＡの他に、ＬＡＮケーブルのモジュラージャック、スイッチ、火災やガスの警報機等であったりしてもよい。
【００４８】
・各実施形態において、コネクタＣに替えて電線管Ｄの挿込み口を配線ボックス１又は２に一体成形してもよい。
【００４９】
・各実施形態において、配線ボックス１又は２を、コンクリート壁Ｗでなく発泡ウレタンフォーム等からなる吹き付け断熱材内に埋設しても良い。そこで、第１の実施形態の配線ボックス１を吹き付け断熱材に埋設する場合を、図８にしたがって説明する。
【００５０】
吹き付け断熱材Ｉは、建物の外壁Ｈと内壁（図示せず）の間に断熱層を形成するべく、外壁Ｈの内面に吹き付けられる断熱材である。この吹き付け断熱材Ｉに配線ボックス１を埋設する場合は、バー材Ｂ１は使用せず、代わりに固定部１６の小ノックアウト１６１を打ち抜いてできた固定孔１６３を介してタッピンビスＢ３で間柱Ｍに固定する。なお、タッピンビスＢ３を固定孔１６３に挿通するためには、予め開口１１を覆っていた養生テープＹは除去する必要がある（図８に示された養生テープＹは、後述するように間柱Ｍへの固定後あらたに貼り付けられたものである）。
【００５１】
配線ボックス１を間柱Ｍに固定した後は、配線ボックス１の開口１１から吹き付け断熱材Ｉが入り込まないように改めて別の養生テープＹで塞ぎ、吹き付け断熱材Ｉの原液を発泡させつつ吹き付けると吹き付け断熱材Ｉによる断熱層が出来上がり、その中に配線ボックス１が埋設され、図８に示す状態となる。この時、埋設された配線ボックス１の内部には、コンクリート壁Ｗ内に埋設した場合と同様に、コネクタＣとの僅かな隙間等から入り込んでしまった吹き付け断熱材Ｉが異物として存在しているため、養生テープＹを除去し、内部に侵入した吹き付け断熱材ＩをワイヤーブラシＳで開口１１から掃き出して除去する。
【００５２】
その後、内壁を間柱Ｍの前面に張り合わせて断熱壁を完成させ、配線ボックス１の開口１１及び取付部１３が壁表に露出するように内壁に透孔を穿設し、電線管Ｄに挿通されたケーブルＶ（図８においては省略）をこの透孔から引き出し、この透孔を介してケーブルＶと接続したコンセントＡ（図８においては省略）を配線ボックス１に取り付けることで、断熱壁にコンセントＡが設置される。
【符号の説明】
【００５３】
１，２：配線ボックス、１１：開口、１２：周壁、１３：取付部、１４，２４：案内部、１４２，２４２：案内面、１５：膨出部、１６：固定部、１７：バー材挿通部、Ａ：コンセント、Ｗ：コンクリート壁、Ｄ：電線管、Ｔ：鉄筋、Ｃ：コネクタ、Ｂ１：バー材、Ｓ：ワイヤーブラシ、Ｖ：ケーブル、Ｈ：外壁、Ｉ：吹き付け断熱材、Ｍ：間柱、Ｙ：養生テープ
【図１】
2016052237.tif 000003
【図２】
2016052237.tif 000004
【図３】
2016052237.tif 000005
【図４】
2016052237.tif 000006
【図５】
2016052237.tif 000007
【図６】
2016052237.tif 000008
【図７】
2016052237.tif 000009
【図８】
2016052237.tif 000010